(57)【要約】【課題】建物の各種の部屋内に設置するのに好適な消臭装置並びにその消臭装置に用いられる消臭剤収納体及び電動送風機の提供。【解決手段】上記課題は、モータとファンと空気流通路ハウジングとを含む電動送風機３を、本体ケース２に交換可能に内蔵させると共に、電動送風機３の回転により生じる空気流中に消臭成分を放出させる消臭剤収納体４を、本体ケース２に出し入れ可能に内蔵させ、しかも、その本体ケース２の外周壁に、太陽電池装置６を、俯仰角度調整可能に、かつ、左右回転角度調整可能に設けることで、達成できる。【選択図】      図１
2005230060.tif 000002
【特許請求の範囲】
【請求項１】
空気吸気口及び空気吹き出し口を設けた薄箱形の本体ケースと、この本体ケース内に設置した電動送風機と、前記本体ケース内に設置されて前記電動送風機の回転により生じる空気流中に消臭成分を放出させる消臭剤収納体と、前記本体ケースの外周壁に設置されて前記電動送風機の駆動源となる太陽電池装置と、前記本体ケース内に設置されて前記電動送風機を少なくとも制御する制御回路を搭載した制御基板とを備えた消臭装置において、前記太陽電池装置の外郭全体形状を略平板状とすると共に、その太陽電池装置を、前記本体ケースに対して、俯仰角度調整可能に、かつ、左右回転角度調整可能に設けたことを特徴とする消臭装置。
【請求項２】
前記太陽電池装置を前記本体ケースに対して着脱自在に設けると共に、前記制御基板に接続されて前記本体ケースから引き出された電気コードを、前記太陽電池装置に着脱自在に接続することを特徴とする請求項１記載の消臭装置。
【請求項３】
前記太陽電池装置は、前記本体ケースに設けた第２取り付け部材に対して、俯仰角度を、左右に零度から最大９０度を越える範囲内で任意に固定することができ、かつ、３６０度の範囲で任意の回転角度に固定することができることを特徴とする請求項１若しくは２記載の消臭装置。
【請求項４】
空気吸気口及び空気吹き出し口を設けた薄箱形の本体ケースと、この本体ケース内に設置した電動送風機と、前記本体ケース内に設置されて前記電動送風機の回転により生じる空気流中に消臭成分を発散させる消臭剤を交換可能に収納した消臭剤収納体と、前記本体ケース内に設置されて前記電動送風機の駆動源となる一次電池若しくは二次電池と、前記本体ケースの外周壁に設置されて前記電動送風機の駆動源となる太陽電池装置と、前記本体ケース内に設置されて前記電動送風機を少なくとも制御する制御回路を搭載した制御基板とを備えた消臭装置において、前記太陽電池装置の外郭全体形状を略平板状にすると共に、その太陽電池装置を、俯仰角度調整可能に、かつ、左右回転角度調整可能に、前記本体ケースに設け、しかも、前記本体ケースを、壁面設置、天井設置または卓上設置の３種類の設置が可能となるようにすると共に、前記消臭剤収納体を、前記本体ケースの側面から出し入れ自在に設けるようにしたことを特徴とする消臭装置。
【請求項５】
前記本体ケースを、天井若しくは壁に取り付けられる上面開口の下ケースと、この下ケースの上面開口を覆う開閉自在の上ケースとから構成し、前記下ケースの外底面に凹部を設け、この凹部の下面開口を覆い板で覆うことにより、前記消臭剤収納体を収納する収納空間を形成し、この収納空間に、前記本体ケースの下ケースの側面に設けた出し入れ口から前記消臭剤収納体を出し入れ可能に設けたことを特徴とする請求項４記載の消臭装置。
【請求項６】
前記覆い板には、前記下ケースの凹部内に収納させた前記消臭剤収納体が前記下ケースの出し入れ口から落下するのを防止する弾性保持片を設けたことを特徴とする請求項５記載の消臭装置。
【請求項７】
前記電動送風機及び前記一次電池若しくは二次電池の電池収納ケースを交換可能に設けたことを特徴とする請求項４、５若しくは６記載の消臭装置。
【請求項８】
空気吸気口及び空気吹き出し口を設けた薄箱形の本体ケースと、この本体ケース内に設置した電動送風機と、前記本体ケース内に設置されて前記電動送風機の回転により生じる空気流中に消臭成分を放出させる消臭剤収納体と、前記本体ケース内に設置されて前記電動送風機の駆動源となる一次電池若しくは二次電池と、前記本体ケースの外周壁に設置されて前記電動送風機の駆動源となる太陽電池装置と、前記本体ケース内に設置されて前記電動送風機を少なくとも制御する制御回路を搭載した制御基板とを備えており、しかも、前記太陽電池装置の外郭全体形状を略平板状とすると共に、その太陽電池装置を前記本体ケースに、俯仰角度調整自在に、かつ、回転自在に設けた消臭装置において、前記制御回路は、前記太陽電池装置から給電された電気を蓄電する蓄電部、及び前記電動送風機を終日間欠運転させる終日運転機能と前記電動送風機を昼間のみ間欠運転させて夜間は前記電動送風機を停止させる夜間停止機能とを選択可能にする切り替えスイッチ部を含む構成としたことを特徴とする消臭装置。
【請求項９】
前記蓄電部及び前記太陽電池装置により給電させる電気量が、前記電動送風機を規定時間回転させるのに不足していた場合に、その不足している電気量を前記一次電池若しくは二次電池により補給されるようにしたことを特徴とする請求項８記載の消臭装置。
【請求項１０】
前記制御回路は、前記太陽電池装置による給電電圧が所定値以下になった場合にリセット信号を発生させる第１リセット回路部と、前記一次電池による給電電圧が所定値以下になった場合にリセット信号を発生させる第２リセット回路部と、Ｌｏｗ信号を規定時間出力し、その後、Ｈｉｇｈ信号を規定時間出力することを繰り返すタイマー部と、このタイマー部からＨｉｇｈ信号が入力された場合に作動して電動送風機を回転させるように制御するモータ定電圧制御回路部を含み、しかも、前記タイマー部に前記第１リセット回路部あるいは前記第２リセット回路部からのリセット信号が入力されると、そのタイマー部が、動作を停止し、かつ、初期化されるようにしたことを特徴とする請求項９記載の消臭装置。
【請求項１１】
前記タイマー部は、初期化直後に、Ｌｏｗ信号を規定時間出力し、その後、Ｈｉｇｈ信号を規定時間出力するようにしてなることを特徴とする請求項９若しくは１０記載の消臭装置。
【請求項１２】
使い捨ての消臭剤入り袋を収納する上面開口の合成樹脂からなる収納枠と、この収納枠の上面開口を覆う開閉自在の合成樹脂からなる蓋体と、前記消臭剤入り袋を通る空気流量を調整する調整板と、消臭装置の本体ケースに設けた収納空間にその本体ケースの側面から出し入れするための握り部とを、少なくとも備えたことを特徴とする消臭装置用消臭剤収納体。
【請求項１３】
消臭装置の本体ケースに設けた収納空間内に、弾性保持片により保持してなることを特徴とする請求項１２記載の消臭装置用消臭剤収納体。
【請求項１４】
モータとこのモータの回転軸に固定された合成樹脂製のファン並びに入口及び出口を有し前記ファンが内設されて前記ファンを回転させることで前記入口から流入してきた空気流を前記出口から流出させる合成樹脂製の空気流通路ハウジングを含み、前記モータに前記空気流通路ハウジングを一体的に取り付けて前記モータ及び前記空気流通路ハウジングを一緒に、消臭装置の本体ケースに対して着脱可能に設けたことを特徴とする消臭装置用電動送風機。
【請求項１５】
前記空気流通路ハウジングにバイパス開口を設けてなることを特徴とする請求項１４記載の消臭装置用電動送風機。
【発明の詳細な説明】
【技術分野】
【０００１】
本発明は、電動送風機の駆動源として太陽電池を用いた消臭装置に係わり、特に建物の各種の部屋や建物に設けたエレベーターの乗りかご内などに設置するのに好適な消臭装置並びにその消臭装置に用いられる消臭剤収納体及び電動送風機に関するものである。
【背景技術】
【０００２】
この種の従来技術として、容器本体の第１の収納部側に乾電池を、かつ、容器本体の第２の収納部側に太陽電池を、それぞれ設け、太陽電池に替えて乾電池により、電動送風機を駆動させることができるようにした消臭装置が知られていた（例えば、特許文献１参照）。
さらに、従来の消臭装置としては、電動送風機及び脱臭剤を収納した容器本体に対して着脱自在に太陽電池を取り付けると共に、太陽電池を容器本体に取り付けた状態では、その太陽電池の取り付け角度を調整することができるようにした消臭装置が知られていた（例えば、特許文献２参照）。
【特許文献１】特開平１１−１８０１４１号公報（段落番号００１４〜００１９、図１〜図３）
【特許文献２】実開平５−９６２６号公報（段落番号００１０、図１〜図２）
【発明の開示】
【発明が解決しようとする課題】
【０００３】
しかしながら、上述した特許文献２に記載の消臭装置は、太陽電池のモジュールパネルが容器本体の外郭上面に直接固定されているため、テーブルなどの載置台に設置して使用する場合（以下、卓上設置と称する）には、太陽光や室内照明灯の照明光がモジュールパネルの真上方向からモジュールパネルに照射されないと、また、天井に取り付けて使用する場合（以下、天井設置と称する）には、太陽光や室内照明灯の照明光がモジュールパネルの真下方向からモジュールパネルに照射されないと、また、壁に取り付けて使用する場合（以下、壁面設置と称する）には、太陽光や室内照明灯の照明光がモジュールパネルの前方方向からモジュールパネルに照射されないと、それぞれ、太陽電池の発電を最も効率よく行わせることができないという問題点がある。
【０００４】
さらに、上述した特許文献１に記載の消臭装置では、太陽光が得やすいように、太陽電池側に回動可能に設けた方形状の取り付け板を容器本体上面端部に設けた取り付け溝に挿入することにより、容器本体に対する太陽電池のモジュールパネルの向きを調整するようしているが、容器本体上面端部の取り付け溝に挿入した太陽電池側の取り付け板が回転しないので、容器本体に対する太陽電池の俯仰角度が調整されるのみであり、太陽電池が俯仰する方向とは直角方向に太陽電池のモジュールパネル面を向けることができないため、太陽電池が俯仰する方向とは直角方向に太陽光が入射する窓や室内照明灯が位置していた場合には、太陽電池の発電を効率よく行わせることができないという問題点がある。
【０００５】
さらに、上述した特許文献２に記載の消臭装置では、消臭剤を交換するには、容器本体外周から容器本体内に収納した消臭剤を取り出すことができないため、容器本体を構成する上ケースを開き、使用済みの消臭剤を手で握って容器本体から取り出し後、新しい消臭剤を容器本体内の支持突条に設置し、次いで、上ケースを閉じる必要があるので、消臭剤交換作業が面倒であり、かつ、消臭剤交換時間が長くなってしまうという問題点がある。また、上述した特許文献１に記載の消臭装置では、消臭剤を交換するには、容器本体外周から容器本体内に収納した消臭剤を取り出すことができないため、その消臭装置を天井あるいは壁に設置した場合には、天井あるいは壁に取り付けた消臭装置の容器本体を取り外した後、その容器本体から上ケースを取り外して消臭剤を交換し、次いで、上ケースを容器本体に取り付け、その後、その容器本体を天井あるいは壁に取り付ける必要があるので、消臭剤交換作業が面倒であり、かつ、消臭剤交換時間が長くなってしまうという問題点がある。
【０００６】
さらに、上述した両公報に記載の消臭装置は、電動送風機を常に連続運転させるかあるいは電動送風機を常に連続間欠運転させるものであって、電動送風機におけるモータ部の寿命が短くなり、しかも、電動送風機の駆動源として一次電池若しくは二次電池を使用した場合にはその一次電池若しくは二次電池が短時間で消耗してしまうと共に、消臭剤も短時間で消耗してしまうという問題点がある。
【０００７】
さらに、上述した両公報に記載の消臭装置では、その消臭装置の本体ケース内に収納される電動送風機及び一次電池若しくは二次電池の電池収納ケースを交換することについては何らの考慮がなされておらず、それらの交換が困難であるという問題点がある。
【０００８】
本発明は、上述した従来技術における実状からなされたもので、その第１目的は、太陽光が入射する窓や室内照明灯がどこの位置にあっても、太陽電池の発電を効率よく行わせることを可能にする消臭装置を提供することにある。
【０００９】
本発明は、上述した従来技術における実状からなされたもので、その第２目的は、壁面設置、天井設置若しくは卓上設置のいずれの設置の場合であっても、太陽電池の発電を効率よく行わせることができ、かつ、消臭剤の交換を容易に行うことのできる消臭装置を提供することにある。
【００１０】
本発明は、上述した従来技術における実状からなされたもので、その第３目的は、太陽電池の発電を効率よく行わせることができ、かつ、一次電池若しくは二次電池を短時間で消耗させることのない消臭装置を提供することにある。
【００１１】
本発明は、上述した従来技術における実状からなされたもので、その第４目的は、消臭装置の本体ケース内に収納される消臭剤を交換するのに便利な消臭装置用消臭剤収納体を提供することにある。
【００１２】
本発明は、上述した従来技術における実状からなされたもので、その第５目的は、消臭装置の本体ケース内に収納されるモータを交換するのに便利な消臭装置用電動送風機を提供することにある。
【課題を解決するための手段】
【００１３】
上記第１目的を達成するために、上記第１の発明は、空気吸気口及び空気吹き出し口を設けた薄箱形の本体ケースと、この本体ケース内に設置した電動送風機と、前記本体ケース内に設置されて前記電動送風機の回転により生じる空気流中に消臭成分を放出させる消臭剤収納体と、前記本体ケースの外周壁に設置されて前記電動送風機の駆動源となる太陽電池装置と、前記本体ケース内に設置されて前記電動送風機を少なくとも制御する制御回路を搭載した制御基板とを備えた消臭装置において、前記太陽電池装置の外郭全体形状を略平板状とすると共に、その太陽電池装置を、前記本体ケースに対して、俯仰角度調整可能に、かつ、左右回転角度調整可能に設けたことを特徴としている。
【００１４】
上記第２目的を達成するために、上記第２の発明は、空気吸気口及び空気吹き出し口を設けた薄箱形の本体ケースと、この本体ケース内に設置した電動送風機と、前記本体ケース内に設置されて前記電動送風機の回転により生じる空気流中に消臭成分を放出させる消臭剤収納体と、前記本体ケース内に設置されて前記電動送風機の駆動源となる一次電池若しくは二次電池と、前記本体ケースの外周壁に設置されて前記電動送風機の駆動源となる太陽電池装置と、前記本体ケース内に設置されて前記電動送風機を少なくとも制御する制御回路を搭載した制御基板を備えた消臭装置であり、前記太陽電池装置の外郭全体形状を略平板状にすると共に、その太陽電池装置を、俯仰角度調整可能に、かつ、左右回転角度調整可能に、前記本体ケースに設け、しかも、前記本体ケースを、壁面設置、天井設置または卓上設置の３種類の設置が可能となるようにすると共に、前記消臭剤収納体を、前記本体ケースの側面から出し入れ自在に設けるようにしたことを特徴としている。
【００１５】
上記第３目的を達成するために、上記第２の発明は、空気吸気口及び空気吹き出し口を設けた薄箱形の本体ケースと、この本体ケース内に設置した電動送風機と、前記本体ケース内に設置されて前記電動送風機の回転により生じる空気流中に消臭成分を放出させる消臭剤収納体と、前記本体ケース内に設置されて前記電動送風機の駆動源となる一次電池若しくは二次電池と、前記本体ケースの外周壁に設置されて前記電動送風機の駆動源となる太陽電池装置と、前記本体ケース内に設置されて前記電動送風機を少なくとも制御する制御回路を搭載した制御基板を備えており、しかも、前記太陽電池装置の外郭全体形状を略平板状とすると共に、その太陽電池装置を前記本体ケースに、俯仰角度調整自在に、かつ、回転自在に設けた消臭装置において、前記制御回路は、前記太陽電池装置から給電された電気を蓄電する蓄電部、及び前記電動送風機を終日間欠運転させる終日運転機能と前記電動送風機を昼間のみ間欠運転させて夜間は前記電動送風機を停止させる夜間停止機能とを選択可能にする切り替えスイッチ部を含む構成としたことを特徴としている。
【００１６】
上記第４目的を達成するために、上記第４の発明は、使い捨ての消臭剤入り袋を収納する上面開口の合成樹脂からなる収納枠と、この収納枠の上面開口を覆う開閉自在の合成樹脂からなる蓋体と、前記消臭剤入り袋を通る空気流量を調整する調整板と、消臭装置の本体ケースに設けた収納空間にその本体ケースの側面から出し入れするための握り部とを、少なくとも備えた消臭装置用消臭剤収納体としたことを特徴としている。
【００１７】
上記第５目的を達成するために、上記第５の発明は、モータとこのモータの回転軸に固定された合成樹脂製のファン並びに入口及び出口を有し前記ファンが内設されて前記ファンを回転させることで前記入口から流入してきた空気流を前記出口から流出させる合成樹脂製の空気流通路ハウジングを含み、前記モータに前記空気流通路ハウジングを一体的に取り付けて前記モータ及び前記空気流通路ハウジングを一緒に、消臭装置の本体ケースに対して着脱自在に設けた消臭装置用電動送風機としたことを特徴としている。
【発明の効果】
【００１８】
上記第１の発明によれば、昼間は太陽光を利用して太陽電池装置による給電を行い、かつ、夜間は室内照明灯の照明光を利用して太陽電池装置による給電を行うようにすると共に、太陽光が入射する窓と室内照明灯が、消臭装置の設置場所を中心にして前後左右にどの方向にあっても、太陽電池装置を適宜俯仰させ、かつ、適宜回転させることで、昼間は太陽光が最も効率よく照射させるように、かつ、夜間は室内照明灯の照明光を最も効率よく照射させるように、太陽電池装置のモジュールパネルの向きを簡単に設定できるし、しかも、太陽電池装置のモジュールパネルを本体ケースの上面に近接対向させた状態にすることができるため、消臭装置の梱包作業時や消臭装置の運搬時に、太陽電池装置のモジュールパネルに周囲の物体が触れたりすることがないので、その太陽電池装置のモジュールパネルを傷付けたりあるいは破損させたりすることのない消臭装置が得られる。
【００１９】
上記第２の発明によれば、壁面設置、天井設置または卓上設置のいずれの場合であっても、本体ケースに取り付けた太陽電池装置を、俯仰させて太陽電池装置のモジュールパネルの俯仰角度を適宜調整したり、適宜回転させたりすることにより、太陽電池装置のモジュールパネルの向きを最適な位置に簡単に設定できると共に、本体ケースに対して消臭剤収納体を簡単に出し入れすることのでき、取扱性の優れた消臭装置が得られる。
【００２０】
上記第３の発明によれば、太陽電池装置による給電と一次電池若しくは二次電池による給電を効率よく行わせて、一次電池若しくは二次電池を短時間で消耗させるのを防止できる消臭装置が得られる。
【００２１】
上記第４の発明によれば、壁面設置、天井設置または卓上設置のいずれの場合であっても、消臭剤入り袋の交換作業を円滑に行わせることができ、取扱性が優れている構造簡単な消臭装置用消臭剤収納体が得られる。
【００２２】
上記第５の発明によれば、壁面設置、天井設置または卓上設置のいずれの場合であっても、モータの交換作業を円滑に行わせることのできる消臭装置用電動送風機が得られる。
【発明を実施するための最良の形態】
【００２３】
以下、本発明の一実施形態を、図面に基づいて説明する。図面において、消臭装置１は、薄箱形の本体ケース２と、この本体ケース２内に設置した電動送風機３と、本体ケース２内に設置されて電動送風機３の回転により生じる空気流中に消臭成分を発散させるのに用いられる薄箱形の消臭剤収納体４と、本体ケース２内に設置されて電動送風機３に給電する２個の一次電池５と、電動送風機３に給電する太陽電池装置６と、本体ケース２内に設置した制御基板７とを、少なくとも備えている（主に、図８及び図９を参照）。
【００２４】
本体ケース２は、上面開口の合成樹脂からなる下ケース８と、この下ケース８の上面開口を覆う着脱可能な合成樹脂からなる上ケース９とからなっている。本体ケース２の大きさは、横寸法略１８３ｍｍ×縦寸法略２２２ｍｍ×厚さ寸法略４５ｍｍとしてある。下ケース８の内底の四隅には、建物の室内などの天井Ｔや壁Ｋ１、Ｋ２に、下ケース８を取り付けるための取り付け穴１０、１０Ａ、１０Ｂ、１０Ｃが設けられる。下ケース８の外底面には、消臭剤収納体４を設置するための凹部８Ａが設けられる。下ケース８の側面には、２個の細長状の空気吸気口８Ｂが設けられる。上ケース９の上面は、平坦面状とし、その上ケース９の上面には、多数の小穴からなる空気吹き出し口９Ａが設けられる（主に、図２、図８及び図９を参照）。なお、壁Ｋ１とは、室内などの窓Ｗから離れた場所の側壁をいい、壁Ｋ２とは、室内などの窓Ｗに近い部分の側壁をいう。
【００２５】
電動送風機３は、小形ブラシモータなどからなるモータ１１と、このモータ１１の回転軸１１Ａに固定された合成樹脂製のシロッコファンなどからなるファン１２と、入口１３Ａ及び出口１３Ｂを有しファン１２が内設されてそのファン１２を回転させることで入口１３Ａから流入してきた空気流を出口１３Ｂから流出させる合成樹脂製の空気流通路ハウジング１３を含み、モータ１１に空気流通路ハウジング１３を一体的に取り付けてある。電動送風機３は、モータ１１の外郭部に形成した取り付け脚３Ａを、モータ固定用ネジ３Ｂで下ケース８の内底面に固定することにより、着脱可能に取り付けられる（主に、図８及び図１１を参照）。
【００２６】
空気流通路ハウジング１３は、図８に示すように、上方向から見て、略Ｌ字形状になっており、合成樹脂製の下ハウジング１４と合成樹脂製の上ハウジング１５とからなっている。下ハウジング１４の外底面には、図１１に示すように、モータ１１の外周に圧入嵌合するモータ収納凹部１４Ａが形成される。下ハウジング１４の内面側で、かつ、モータ収納凹部１４Ａに外周に位置する部分には、ファン１２を収納するファン収納凹部１４Ｂが形成される。ファン収納凹部１４Ｂの上面開口部には、ファン１２内に空気を案内する鋼板製の案内プレート１２Ａが取り付けられる。空気流通路ハウジング１３の上ハウジング１５には、バイパス開口１５Ａが設けられている。下ケース８に上ケース９を取り付けた状態にした場合には、上ハウジング１５に設けたバイパス開口１５Ａが上ケース９の内壁面で塞がれないように設計されている。
【００２７】
上ハウジング１５は、下ハウジング１４に対して着脱可能に設けられている。すなわち、上ハウジング１５は、その一端側１５Ｃを下ハウジング１４の外周に弾着させると共に、上ハウジング１５の他端側１５Ｄに設けた係合穴１５Ｂを下ケース８の内底面に設けた係合突起８Ｈに弾着させるようにしてある。下ハウジング１４から上ハウジング１５を分離させたいときは、上ハウジング１５を下ハウジング１４から離す方向に強く手で引っ張れば、上ハウジング１５の係合穴１５Ｂが下ケース８の係合突起８Ｈから離れて上ハウジング１５と下ハウジング１４の弾着状態が解除されるため、下ハウジング１４から上ハウジング１５を難なく分離させることができる。また、下ハウジング１４に上ハウジング１５を結合させたいときは、上ハウジング１５の一端側１５Ｃを下ハウジング１４の外周に弾着させると同時に、上ハウジング１５の係合穴１５Ｂを下ケース８の係合突起８Ｈに圧入させれば、下ハウジング１４に上ハウジング１５を難なく結合させることができる。したがって、下ケース８の内底面からモータ固定用ネジ３Ｂを取り除き、かつ、下ケース８の係合突起８Ｈから上ハウジング１５の係合穴１５Ｂを離すことにより、モータ１１、ファン１２及び空気流通路ハウジング１３を一緒に、下ケース８の内底面から取り外すことができる。
【００２８】
消臭剤収納体４は、フィトンチッドなどからなる消臭剤が収納される使い捨ての消臭剤入り袋１６を収納する上面開口の合成樹脂からなる収納枠４Ａと、この収納枠４Ａの上面開口を覆う開閉自在の合成樹脂からなる蓋体４Ｂとからなるカートリッジ構造とし、本体ケース２の下ケース８の側面に設けた出し入れ口８Ｃから下ケース８の凹部８Ａ内に出し入れ可能に設けられる。下ケース８には、下ケース８の凹部８Ａの下面開口を鋼板製の覆い板１７で覆うことにより、消臭剤収納体４を収納する収納空間が形成される。覆い板１７は、一端側に設けた２個の突出片１７Ａを下ケース８の外底面に形成した２個の係止部８Ｇに係止させ、かつ、他端側を１個の覆い板取り付けネジ１８で下ケース８の外底面に固定することにより、下ケース８外底面に取り外し可能に設けられる。覆い板１７には、２個の鋼板製の弾性保持片１９が設けられる。弾性保持片１９は、下ケース８の側面に設けた出し入れ口８Ｃが下向きとなるように、消臭装置１が壁Ｋ１、Ｋ２などに取り付けられても、下ケース８の凹部８Ａ内の消臭剤収納体４が出し入れ口８Ｃから落下しないようにするためのものである。覆い板１７には、その覆い板１７自体の強度を補強するために、補強用凹部１７Ｂが形成されている（主に、図７、図９及び図１２を参照）。
【００２９】
下ケース８の一側面に設けた空気吸気口８Ｂと下ケース８の他側面に設けた出し入れ口８Ｃとは、図９に示すように、対向する位置関係となるように設けられる。空気流通路ハウジング１３の入口１３Ａは、下ケース８の内底面に設けた細長流入口８Ｄに連通されている。空気流通路ハウジング１３の出口１３Ｂは、上ケース９の上面に設けた空気吹き出し口９Ａに連通されている。空気流通路ハウジング１３の入口１３Ａは、下ハウジング１４に形成され、細長流入口８Ｄと同じく細長形状としてある。空気流通路ハウジング１３の出口１３Ｂは、下ハウジング１４の端部を上ハウジング１５で覆わないことにより形成されるものであって、下ケース８に上ケース９を取り付けた際、上ケース９の内底面における空気吹き出し口９Ａに近接若しくは当接することで、空気吹き出し口９Ａに連通されるようにしてある。
【００３０】
消臭剤収納体４の収納枠４Ａは、消臭剤入り袋１６を収納する収納室を形成するための第１仕切り壁４Ｈ及び第２仕切り壁４Ｊと、その消臭剤収納体４を下ケース８の凹部８Ａ内に収納した状態で、下ケース８の一側面に設けた空気吸気口８Ｂに対向するところの外気取り入れ口４Ｃと、この外気取り入れ口４Ｃに対向する第１仕切り壁４Ｈに設けた１個の連通口４Ｋと、第２仕切り壁４Ｊに設けた１個の外気吐き出し口４Ｄと、この外気吐き出し口４Ｄの開口面積を調整する調整板４５と、外気吐き出し口４Ｄから吐き出された外気を下ケース８の内底面に設けた細長流入口８Ｄに導く連通空間部４Ｌと、外気取り入れ口４Ｃと連通口４Ｋとの間に位置する部分に形成されるところの除塵フイルター収納空間部４Ｅとが設けられている。蓋体４Ｂは、プラスチックヒンジ構造によって、収納枠４Ａに開閉可能に設けられている。蓋体４Ｂに設けた弾性係止部４Ｍを収納枠４Ａに設けた蓋係止凹部４Ｎに係止させることにより、収納枠４Ａの上面開口を蓋体４Ｂで覆った状態が維持される。調整板４５は、スライドシャッター構造とし、第２仕切り壁４Ｊにスライド可能に設けられている（主に、図９、図１２及び図１３を参照）。
【００３１】
消臭剤収納体４の収納枠４Ａには、下ケース８の凹部８Ａ内に収納した消臭剤収納体４を下ケース８の側面に設けた出し入れ口８Ｃから引き出すための握り部４Ｆが設けられている。収納枠４Ａ及び握り部４Ｆの大きさは、消臭剤収納体４を下ケース８の凹部８Ａ内に収納した状態で、下ケース８の側面に設けた出し入れ口８Ｃから突出しないように設定してある。電動送風機３の空気流通路ハウジング１３と消臭剤収納体４を収納する下ケース８の凹部８Ａとの位置関係は、消臭剤収納体４を下ケース８の凹部８Ａ内に収納した状態で、収納枠４Ａの連通空間部４Ｌの上方に、下ケース８の内底面に設けた細長流入口８Ｄが位置するように、設定されている（主に、図８及び図９を参照）。
【００３２】
一次電池５は、２本のマンガン乾電池（公称電圧１．５Ｖ）からなり、図１０に示すように、合成樹脂製の電池収納ケース２０に横に並べて設置される。電池収納ケース２０は、ケース取り付けネジ２１で下ケース８の内底面に着脱可能に固定される。
【００３３】
太陽電池装置６は、図１０に示すように、ガラスなどの基板に多数のセルを配置してそれらセルの裏面側を封止してなるモジュールパネル２２と、このモジュールパネル２２を外周表面に設置してなる表面枠体６Ａと、この表面枠体６Ａの裏面側を覆う裏面枠体６Ｂと、裏面枠体６Ｂを表面枠体６Ａに固定するパネル用ネジ２３と、表面枠体６Ａ及び裏面枠体６Ｂの外周側面から外方に突出させた合成樹脂からなる第１取り付け部材２４と、この第１取り付け部材２４に取り付けた合成樹脂からなる円筒体状の第２取り付け部材２５とを、少なくとも備えている。太陽電池装置６の表面枠体６Ａ及び裏面枠体６Ｂの外郭全体形状は、略平板状としてある。モジュールパネル２２は、そのモジュールパネル２２の表面を表面枠体６Ａの表面より凹ませた状態で、表面枠体６Ａの外周表面に設置される。太陽電池装置６の外郭の大きさは、横寸法略１０７ｍｍ×縦寸法略１３７ｍｍ×厚さ寸法略１８ｍｍとして、太陽電池装置６のモジュールパネル２２の表面を上ケース９の上面に近接対向させた状態にした時、上ケース９の上面から外側方に飛び出すことないように設定してある。太陽電池装置６は、モジュールパネル２２の表面に対して略直角に太陽光や室内照明灯の照明光が照射されたとき、太陽電池の発電を最も効率よく行われるように設計されている。
【００３４】
第２取り付け部材２５は、本体ケース２の上ケース９に一体形成した円筒状の嵌合凹部９Ｂに挿嵌させた後、回転軸用ネジ２６及び２枚のワッシャ２７を用いて、左右いずれの方向に回転させても、３６０度回転させることができ、かつ、その回転させた位置で摩擦抵抗により固定されるように、嵌合凹部９Ｂに取り付けられる。嵌合凹部９Ｂに取り付けられた第２取り付け部材２５は、その第２取り付け部材２５の回転中心線が、上ケース９の上面に対して略鉛直方向に延びるようにしてある。第２取り付け部材２５は、上ケース９の嵌合凹部９Ｂに回転可能に取り付けた状態では、その第２取り付け部材２５の上端部が上ケース９の上面より上方に突出するようにしてある。上ケース９の上面より上方に突出した第２取り付け部材２５の上端部には、太陽電池装置６に固定した第１取り付け部材２４を取り付けるための二股状取り付け片２５Ａが形成されている。上ケース９の嵌合凹部９Ｂへの第２取り付け部材２５の取り付け若しくは取り外しは、上ケース９の内壁面を上に向けた状態にした後、嵌合凹部９Ｂの底部からねじ回し工具によって、回転軸用ネジ２６を取り付ける若しくは取り外すことにより、行えるようにしてある（主に、図１０参照）。
【００３５】
第２取り付け部材２５が嵌合する円筒状の嵌合凹部９Ｂは、図１０及び図１１に示すように、消臭剤収納体４を設置するための凹部８Ａの上方に位置しないように上ケース９の側端近傍に位置し、しかも、図３及び図４に示すように、上ケース９の横幅中心よりも右側にずらした位置になるようにしてある。第１取り付け部材２４は、図１０に示すように、２個の小ネジ４６で本体ケース２の内側に固定される固定片部２４Ａと、第２取り付け部材２５の二股状取り付け片２５Ａに取り付けられる取り付け片部２４Ｂとからなっている。第１取り付け部材２４の取り付け片部２４Ｂは、俯仰軸用ネジ２８を用いて、任意の回転位置で摩擦抵抗により固定することができるように、第２取り付け部材２５の二股状取り付け片２５Ａに、回転可能に取り付けられる。第１取り付け部材２４を俯仰軸用ネジ２８で取り付けてなる第２取り付け部材２５を嵌合凹部９Ｂに取り付けた状態では、第１取り付け部材２４の回転軸となる俯仰軸用ネジ２８の中心線が、上ケース９の上面に沿って略平行方向に延びるようにしてある。したがって、太陽電池装置６の第１取り付け部材２４を第２取り付け部材２５の二股状取り付け片２５Ａに取り付け、しかも、その第２取り付け部材２５を上ケース９の嵌合凹部９Ｂに取り付けた状態では、太陽電池装置６を手で第２取り付け部材２５を回転軸として回転させると、図１に示す矢印Ｑのごとく、太陽電池装置６を回転させて太陽電池装置６のモジュールパネル２２の向きを、３６０度の範囲で任意に調整して固定できると共に、太陽電池装置６を手で俯仰軸用ネジ２８を回転軸として回転させると、図１に示す矢印Ｒのごとく、太陽電池装置６を俯仰させて太陽電池装置６のモジュールパネル２２の俯仰角度を、上ケース９の上面に太陽電池装置６の外郭が接触する状態から、第１取り付け部材２４の取り付け片部２４Ｂが第２取り付け部材２５の二股状取り付け片２５Ａに接触する状態になるまでの範囲で、任意に調整して固定できる。本実施形態では、第２取り付け部材２５に対して、俯仰角度を、左右に零度から最大９０度を越える範囲内で任意に調整できる。
【００３６】
制御基板７は、電動送風機３を少なくとも制御するところの後述する制御回路２９が搭載されており、複数個の基板用ネジ３０で下ケース８の内底面に固定することにより、取り外し可能に設けられる。制御基板７は、消臭剤収納体４が収納される下ケース８の凹部８Ａの上方に位置するように、下ケース８の内底面に固定されている。制御基板７は、図８において、一次電池５及び電池収納ケース２０の下方に配置される。電動送風機３は、図８において、電池収納ケース２０の左横方向に配置される。空気流通路ハウジング１３は、その空気流通路ハウジング１３の出口１３Ｂが電動送風機３と電池収納ケース２０との間に位置するように、電池収納ケース２０及び制御基板７の左横方向に配置される。制御基板７の制御回路２９と太陽電池装置６のモジュールパネル２２との電気的接続を行う第１電気コード４３は、一端側を制御基板７に取り付け、かつ、他端側をコンセント（図示せず）により太陽電池装置６に対して着脱可能に取り付けられている。
【００３７】
消臭装置１の本体ケース２は、図１１に示すように、下ケース８の取り付け穴１０、１０Ａ、１０Ｂ、１０Ｃを利用して本体ケース用取り付けネジ３１で建物の室内の天井Ｔや壁Ｋ１、Ｋ２に、着脱可能に取り付けられる。上ケース９は、図１１に示すように、一端側に形成した係止爪９Ｃを下ケース８の係止穴８Ｅに係合させると共に、他端側を下ケース８の側面に取り付けた上ケース用取り付けネジ３２に係合させることにより、下ケース８に着脱自在に取り付けられる。上ケース用取り付けネジ３２は、覆い板１７の立ち上がり片１７Ｃに螺合させるようにしてある。下ケース８の外底面には、４個の設置脚８Ｆが設けられている。設置脚８Ｆには、防振用のゴムなどからなる弾性キャツプ（図示せず）を設けることが可能である。
【００３８】
上記構成の太陽電池装置６を本体ケース２から離して、その太陽電池装置６を窓Ｗ近傍の壁Ｋ２に取り付ける場合は、図１４若しくは図１５に示すような構造の合成樹脂からなるケース状の第１壁装着部材４０及び２本の第１壁装着部材用取り付けネジ４１と、本体ケース２に太陽電池装置６を取り付けるのに用いられる回転軸用ネジ２６及びワッシャ２７とにより、次のようにして行われる。
【００３９】
すなわち、始めに、第１取り付け部材２４及び第２取り付け部材２５が付いた状態で太陽電池装置６を、本体ケース２から取り外す。次いで、第１壁装着部材４０に一体に形成してなる支持円筒体４０Ａに、太陽電池装置６に取り付けられた第２取り付け部材２５を、挿嵌させた後、回転軸用ネジ２６及びワッシャ２７により、支持円筒体４０Ａに対して、左右いずれの方向に回転させても、３６０度回転させることができ、かつ、その回転させた位置で摩擦抵抗により固定されるように、第２取り付け部材２５を支持円筒体４０Ａに取り付ける。次いで、太陽電池装置６が取り付けられた状態のままの第１壁装着部材４０を、２本の第１壁装着部材用取り付けネジ４１により、図１５に示すように、窓Ｗ近傍の壁Ｋ２に固定する。最後に、窓Ｗ近傍の壁Ｋ２に固定した第１壁装着部材４０の開口面に、着脱可能な第１装飾カバー４２を取り付ければよい。
【００４０】
太陽電池装置６を本体ケース２から離して、その太陽電池装置６を、図１９に示すように、窓Ｗ近傍の壁Ｋ２に取り付ける場合には、第１電気コード４３の他端側を太陽電池装置６から引き抜き、その第１電気コード４３の他端側にコンセント（図示せず）で第２電気コード４４を接続すると共に、第２電気コード４４を窓Ｗ近傍の壁Ｋ２に取り付けられた太陽電池装置６のモジュールパネル２２に接続する。第２電気コード４４は、本体ケース２の取り付けられた位置から太陽電池装置６が窓Ｗ近傍の壁Ｋ２に取り付けた位置までの間の電気配線を行うのに十分な長さを有していると共に、コンセント（図示せず）により太陽電池装置６に対して着脱可能に取り付けられるようにしてある。
【００４１】
制御回路２９は、図１６に示すように、切り替えスイッチ部３３、第１リセット回路部３４、蓄電部３５、タイマー部３６、第２リセット回路部３７、ＯＲ回路部３８及びモータ定電圧制御回路部３９を少なくとも備えており、その内容を、以下に詳説する。
【００４２】
まず、太陽電池装置６は、図１６に示すように、電流逆流防止用のダイオードＤ１を介して蓄電部３５及びモータ定電圧制御回路部３９に接続されている。蓄電部３５は、大容量コンデンサであって、１ファラッドの二重層コンデンサからなり、電動送風機３のモータ１１の停止時に太陽電池装置６から給電された電気を蓄電するものである。切り替えスイッチ部３３は、接点Ａ、接点Ｂ及び共通接点Ｃを有しており、手動で接点Ａ、Ｂを切り替えることができる構成にしてある。切り替えスイッチ部３３は、接点ＡがダイオードＤ１の入力側に、かつ、接点ＢがダイオードＤ１の出力側に、共通接点Ｃが第１リセット回路部３４に、それぞれ接続されるようにしてある。第１リセット回路部３４は、太陽電池装置６による給電電圧が所定値以下（２Ｖ以下）になると、リセット信号を発生させる。そのリセット信号は、ＯＲ回路部３８を介してタイマー部３６に入力させる。
【００４３】
一次電池５は、図１６に示すように、電流逆流防止用のダイオードＤ２を介して第２リセット回路部３７及びモータ定電圧制御回路部３９に接続されている。第２リセット回路部３７は、一次電池５による給電電圧が所定値以下（２Ｖ以下）になると、リセット信号を発生させる。そのリセット信号は、ＯＲ回路部３８を介してタイマー部３６に入力させる。タイマー部３６は、図１６に示すように、発振回路部３６Ａ、分周回路部３６Ｂ及びＡＮＤ回路部３６Ｃからなり、ＯＲ回路部３８からリセット信号が入力されると、そのタイマー部３６の動作を停止させると共に、タイマー部３６の内部が初期化されるようにしてある。タイマー部３６のＡＮＤ回路部３６Ｃからは、Ｌｏｗ信号を規定時間（例えば、約２４０秒）、出力した後、Ｈｉｇｈ信号を規定時間（例えば、約８０秒）、出力することが、繰り返されるように、発振回路部３６Ａ及び分周回路部３６Ｂが設計されている。しかも、タイマー部３６は、初期化直後に、ＡＮＤ回路部３６ＣからＬｏｗ信号を規定時間（約２４０秒）、出力し、その後、Ｈｉｇｈ信号を規定時間（約８０秒）、出力するように、設計されている。
【００４４】
タイマー部３６のＡＮＤ回路部３６ＣからＨｉｇｈ信号がモータ定電圧制御回路部３９に入力されている時は、モータ定電圧制御回路部３９が作動して、蓄電部３５及び太陽電池装置６による給電若しくは一次電池５による給電が電動送風機３のモータ１１に対して行われて、そのモータ１１を最大回転数が約６００ＲＰＭで回転させる。タイマー部３６のＡＮＤ回路部３６ＣからＨｉｇｈ信号がモータ定電圧制御回路部３９に出力されていない時は、モータ定電圧制御回路部３９が作動せず、蓄電部３５及び太陽電池装置６による給電若しくは一次電池５による給電が電動送風機３のモータ１１に対して行われず、電動送風機３のモータ１１が回転しない。
【００４５】
上記制御回路２９において、切り替えスイッチ部３３の接点Ａと共通接点Ｃが接続されている状態で、かつ、太陽電池装置６の給電電圧が所定値（２Ｖ以下）を超えている状態では、第１リセット回路部３４からリセット信号が出力されず、タイマー部３６のＡＮＤ回路部３６Ｃが、Ｌｏｗ信号を規定時間（約２４０秒）出力した後に、Ｈｉｇｈ信号を規定時間（約８０秒）出力することを繰り返すので、モータ定電圧制御回路部３９によって、電動送風機３のモータ１１が約２４０秒停止―約８０秒回転の周期で間欠運転が繰り返えされるように制御される。そのために、タイマー部３６からＬｏｗ信号が出力されている規定時間（約２４０秒）の間は、電動送風機３のモータ１１が停止して蓄電部３５に太陽電池装置６により電気が蓄電されると共に、タイマー部３６からＨｉｇｈ信号が出力されている規定時間（約８０秒）の間は、蓄電部３５及び太陽電池装置６による給電がなされて電動送風機３のモータ１１が回転させられる。また、上記制御回路２９において、切り替えスイッチ部３３の接点Ａと共通接点Ｃが接続されている状態で、かつ、太陽電池装置６の給電電圧が所定値以下（２Ｖ以下）になると、第１リセット回路部３４からリセット信号が出力され、そのリセット信号がＯＲ回路部３８を介してタイマー部３６に入力され、そのタイマー部３６の動作が停止して、モータ定電圧制御回路部３９が作動せず、蓄電部３５及び太陽電池装置６による給電並びに一次電池５による給電が電動送風機３のモータ１１に対して行われない。
【００４６】
したがって、上記制御回路２９によれば、切り替えスイッチ部３３の接点Ａと共通接点Ｃが接続されている状態では、太陽光が十分に照射している昼間は、蓄電部３５及び太陽電池装置６による給電によって、電動送風機３のモータ１１が間欠運転し、かつ、太陽光がなくなる夜間になると、自動的に、電動送風機３のモータ１１の間欠運転が停止させられて、一次電池５からの給電がおこなわれず、一次電池５の消耗を阻止している。換言すれば、記制御回路２９は、夜間を検出して電動送風機３のモータ１１の間欠運転を自動的に停止させられると共に、昼間になると、電動送風機３のモータ１１の間欠運転が自動的に継続して行う機能を有している。なお、太陽光がなくなる夜間になっても、室内照明灯の照明光により、太陽電池装置６の給電電圧が所定値（２Ｖ以下）を超える状態になれば、蓄電部３５及び太陽電池装置６からの給電がなされて電動送風機３のモータ１１の間欠運転が自動的に継続して行われる。
【００４７】
次に、上記制御回路２９において、切り替えスイッチ部３３を切り替えて、切り替えスイッチ部３３の接点Ｂと共通接点Ｃが接続されている状態では、昼間は蓄電部３５及び太陽電池装置６による給電により、電動送風機３のモータ１１の間欠運転が自動的に継続して行われると共に、夜間は一次電池５の給電によって電動送風機３のモータ１１の間欠運転が自動的に継続して行われるので、電動送風機３のモータ１１を終日間欠運転させる。したがって、電動送風機３のモータ１１を終日間欠運転させる機能（以下、終日運転機能と称する）と、電動送風機３のモータ１１を昼間のみ間欠運転させて夜間は前記電動送風機３のモータ１１の間欠運転を停止させる機能（以下、夜間停止機能と称する）を、切り替えスイッチ部３３の切り替え動作により、選択することができる。
【００４８】
しかも、上記制御回路２９において、太陽光や室内照明灯の照明光が太陽電池装置６に十分に照射されないために、蓄電部３５及び太陽電池装置６による給電が十分に得られない場合には、不足している分を一次電池５が補給するので、タイマー部３６のＡＮＤ回路部３６ＣからＨｉｇｈ信号が出力されている規定時間（約８０秒）の間、電動送風機３のモータ１１を回転させることができる。また、一次電池５を設置しない状態、あるいは設置した一次電池５が消耗した状態で、蓄電部３５及び太陽電池装置６による給電により、前記電動送風機３のモータ１１を間欠運転させた場合において、太陽電池装置６への太陽光や室内照明灯の照明光の照射が不足したために、タイマー部３６のＡＮＤ回路部３６ＣからＨｉｇｈ信号が出力されている規定時間（約８０秒）、電動送風機３のモータ１１を回転させるための電気量が得られなくとも、蓄電部３５及び太陽電池装置６による給電の範囲で、すなわち、規定時間（約８０秒）よりも短い時間で電動送風機３のモータ１１を回転させることができる。したがって、上記構成の消臭装置１は、タイマー部３６のＡＮＤ回路部３６ＣからＬｏｗ信号が出力されている規定時間（約２４０秒）の間に、太陽電池装置６により発電された電気量に見合った間欠運転を続行させることができる。
【００４９】
上記構成の消臭装置１では、図９に示すように、消臭剤収納体４を本体ケース２内に収納した状態で、太陽電池装置６若しくは一次電池５からの給電が電動送風機３のモータ１１になされると、電動送風機３のファン１２が間欠回転するため、下ケース８の空気吸気口８Ｂから下ケース８に入り込み、消臭剤収納体４の外気取り入れ口４Ｃ―消臭剤入り袋１６―消臭剤収納体４の外気吐き出し口４Ｄ―下ケース８の細長流入口８Ｄ―空気流通路ハウジング１３の入口１３Ａ―空気流通路ハウジング１３の出口１３Ｂの順で流れて、上ケース９の空気吹き出し口９Ａから上ケース９の外方に流出する空気流が間欠的に発生する。この空気流によって、消臭剤入り袋１６内の消臭材から放出された消臭成分がケース９の空気吹き出し口９Ａから室内に発散し、その発散した消臭成分により室内の悪臭物質あるいはオゾンなどの有害物質が無臭・無害な物質に替えられるので、室内の悪臭が消えると共に、室内の有害物質がなくなるため、健康で快適な室内空間を作ることができる。
【００５０】
上記構成の消臭装置１は、本体ケース２の嵌合凹部９Ｂに太陽電池装置６の第２取り付け部材２５が回転軸用ネジ２６により取り付けられ、かつ、第１電気コード４３が本体ケース２内の制御基板７及び太陽電池装置６のモジュールパネル２２に接続されて、図３から図７に示す状態で、工場から出荷されて販売される。図３から図７に示すように、太陽電池装置６を本体ケース２に取り付けた状態の消臭装置１を、天井設置あるいは壁面設置で使用する場合には、まず、上ケース用取り付けネジ３２を上ケース９から取り除いた後、下ケース８から上ケース９を、かつ、太陽電池装置６から第１電気コード４３を、それぞれ取り外す。次いで、下ケース８の取り付け穴１０、１０Ａ、１０Ｂ、１０Ｃを通して本体ケース用取り付けネジ３１を室内の天井Ｔあるいは壁Ｋ１に螺合させることで、下ケース８を室内の天井Ｔあるいは壁Ｋ１に取り付ける。次いで、上ケース９を、係止爪９Ｃ及び上ケース用取り付けネジ３２を利用して、下ケース８に取り付ける。次いで、制御基板７に接続されている第１電気コード４３を、太陽電池装置６に接続する。最後に、太陽電池装置６を、回転取り付け円筒体２５及び回転軸用ネジ２６を回転軸として適宜に回転させ、かつ、俯仰軸用ネジ２８を回転軸として適宜に俯仰させることで、太陽電池装置６のモジュールパネル２２に太陽光や室内照明灯の照明光が最も効率よく照射させるように設置すればよい（主に、図１１、図１７及び図１８の２点鎖線Ｐ１、Ｐ２内を参照）。
【００５１】
太陽電池装置６を本体ケース２に取り付けた状態で販売されていた消臭装置１を、卓上設置で使用する場合には、図１８の２点鎖線Ｐ３内に示すように、本体ケース２を室内のテーブルＳに載置した後、太陽電池装置６を、俯仰軸用ネジ２８を回転軸として適宜に俯仰させ、かつ、回転取り付け円筒体２５及び回転軸用ネジ２６を回転軸として適宜に回転させることで、太陽電池装置６のモジュールパネル２２に太陽光や室内照明灯の照明光が最も効率よく照射させるように、太陽電池装置６のモジュールパネル２２の向きを設定すればよい。
【００５２】
消臭装置１を、室内の天井Ｔに取り付けて使用する場合、換言すれば、天井設置使用の場合には、図１７及び図１８の２点鎖線Ｐ１内に示すように、本体ケース２に取り付けた太陽電池装置６が上ケース９より下方に位置することとなるので、消臭装置１を室内の天井Ｔに取り付けても、太陽電池装置６のモジュールパネル２２の向き調整を簡単に行うことができる。この場合、室内の四方のいずれの方向に窓Ｗや室内照明灯があっても、その窓Ｗや室内照明灯の方向に、太陽電池装置６のモジュールパネル２２の向きを設定することができる。また、消臭剤収納体４の本体ケース２からの出し入れ作業は、消臭剤収納体４を天井Ｔに沿って水平に移動させて、下ケース８の出し入れ口８Ｃから消臭剤収納体４を出し入れすることで、簡単に行うことができる。この場合、上ケース９の空気吹き出し口９Ａから下方に向かって空気流が吹き出るので、天井Ｔ近傍に溜まった悪臭を効果的に消去することができる。
【００５３】
消臭装置１を、室内の壁Ｋ１に取り付けて使用する場合、換言すれば、壁面設置使用の場合には、図１８の２点鎖線Ｐ２内に示すように、太陽電池装置６のモジュールパネル２２を室内の壁Ｋ１の前方にある窓Ｗに向け、かつ、上ケース９の上面に太陽電池装置６を倒した状態で使用することができる。また、壁面設置使用の場合において、室内の壁Ｋ１の前方ではなくその壁Ｋ１の左右方向に窓がある場合あるいは天井Ｔに室内照明灯がある場合には、本体ケース２に取り付けた太陽電池装置６の第２取り付け部材２５に取り付けた第１取り付け部材２４を前後に俯仰させたり、第２取り付け部材２５を回転させたりすることで、壁Ｋ１の左右方向にある窓に対しても、あるいは天井Ｔにある室内照明灯に対しても、太陽電池装置６のモジュールパネル２２の向きを最適な状態に設置できる。また、この壁面設置使用の場合においては、空気流が、上ケース９の空気吹き出し口９Ａから水平方向に向かって吹き出るので、消臭装置１の上ケース９の前方に臭いの付着した衣類などを吊り下げるようにすれば、その衣類などに消臭装置１からの空気流を効率よく吹き付けることができため、その衣類などに付着した臭いを簡単に消去することができる。
【００５４】
消臭装置１を、室内の天井Ｔあるいは壁Ｋ１、Ｋ２に取り付けることなく、室内のテーブルＳや出窓などに設置して使用する場合、換言すれば、卓上設置使用の場合には、上ケース９の空気吹き出し口９Ａから上方に向かって空気流が吹き出るので、室内のテーブルＳや出窓などの近傍に溜まった悪臭を効果的に消去することができる。また、太陽電池装置６を本体ケース２に対して、３６０度回転させたり、太陽電池装置６を前後に俯仰させたりすることで、室内のいずれの方向に窓Ｗや室内照明灯があっても、その窓Ｗや室内照明灯の方向に、太陽電池装置６のモジュールパネル２２の向きを最適な状態に設定できる。
【００５５】
太陽電池装置６を本体ケース２から離した状態で、消臭装置１を使用する場合には、まず、上ケース用取り付けネジ３２を上ケース９から取り除いた後、下ケース８から上ケース９を取り外す。次いで、上ケース９の内壁面を上に向けた状態にした後、嵌合凹部９Ｂの底部からねじ回し工具によって、回転軸用ネジ２６を取り除くことにより、上ケース９から太陽電池装置６を分離する。次いで、下ケース８の取り付け穴１０、１０Ａ、１０Ｂ、１０Ｃを通して本体ケース用取り付けネジ３１を室内の天井Ｔあるいは壁Ｋ１に螺合させることで、下ケース８を室内の天井Ｔあるいは壁Ｋ１に取り付ける。次いで、上ケース９を、係止爪９Ｃ及び上ケース用取り付けネジ３２を利用して、下ケース８に取り付ける。この場合、制御基板７の制御回路２９に接続された第１電気コード４３が、本体ケース２の外方に飛び出させた状態となるように、上ケース９を下ケース８に取り付ける。次いで、本体ケース２の外方に飛び出た第１電気コード４３に第２電気コード４４を接続する。次いで、太陽電池装置６に取り付けられた第２取り付け部材２５を第１壁装着部材４０の支持円筒体４０Ａに嵌合させた後、その第２取り付け部材２５を支持円筒体４０Ａに回転軸用ネジ２６及びワッシャ２７により、左右いずれの方向に回転させても、３６０度回転させることができ、かつ、その回転させた位置で摩擦抵抗により固定されるように、支持円筒体４０Ａに第２取り付け部材２５を取り付ける。次いで、本体ケース２を取り付けた室内の天井Ｔあるいは壁Ｋ１から離れた、例えば、窓際の壁Ｋ２に、第１壁装着部材４０を２本の第１壁装着部材用取り付けネジ４１で固定する。次いで、第２電気コード４４を太陽電池装置６に接続すると共に、窓際の壁Ｋ２に固定した第１壁装着部材４０に、第１装飾カバー４２を取り付ける。最後に、太陽電池装置６を、第２取り付け部材２５及び回転軸用ネジ２６を回転軸として適宜に回転させたり、あるいは俯仰軸用ネジ２８を回転軸として適宜に俯仰させたりすることで、太陽電池装置６のモジュールパネル２２に太陽光や室内照明灯の照明光が最も効率よく照射させるように設置すればよい（主に、図１５及び図１９の２点鎖線Ｐ４、Ｐ５内を参照）。
【００５６】
消臭剤入り袋１６を消臭剤収納体４内に設置するには、蓋体４Ｂを開いて、収納枠４Ａ内に消臭剤入り袋１６を収納した後、蓋体４Ｂを閉じればよい。また、消臭剤入り袋１６を設置した消臭剤収納体４を、本体ケース２に設置するには、下ケース８の側面に設けた出し入れ口８Ｃから下ケース８の凹部８Ａ内に押し込めば、図９に示すように、下ケース８の凹部８Ａと覆い板１７によって形成された収納空間に消臭剤収納体４が設置される。また、消臭剤収納体４が下ケース８の凹部８Ａと覆い板１７によって形成された収納空間に設置された状態では、弾性保持片１９の先端湾曲部１９Ａが消臭剤収納体４における収納枠４Ａの下面に形成した係止凹部４Ｇに押圧嵌合することにより、消臭剤収納体４が下ケース８の凹部８Ａ内に弾性保持させられるので、下ケース８の側面に設けた出し入れ口８Ｃを下向きにしても、その出し入れ口８Ｃから消臭剤収納体４が抜け落ちることがない（主に、図１２及び図１３を参照）。
【００５７】
下ケース８の凹部８Ａと覆い板１７によって形成された収納空間に設置された消臭材用カートリッジ４を本体ケース２から取り出して、消臭剤入り袋１６を交換したい場合には、消臭剤収納体４の握り部４Ｆを握って、下ケース８の出し入れ口８Ｃから下ケース８外方に消臭剤収納体４を引き出した後、再度、蓋体４Ｂを開き、収納枠４Ａ内に収納されている消臭剤入り袋１６を新しい消臭剤入り袋に交換し、その後、蓋体４Ｂを、再度、閉じればよい。
【００５８】
天井設置あるいは壁面設置で使用している消臭装置１において、モータ１１が寿命に達して電動送風機３を交換したい場合には、まず、上ケース用取り付けネジ３２を上ケース９から取り除いた後、下ケース８から上ケース９を、かつ、太陽電池装置６から第１電気コード４３を、それぞれ取り外す。次いで、下ケース８の内底面からモータ固定用ネジ３Ｂを取り除くことにより、その破損した電動送風機３を下ケース８の内底面から取り外す。次いで、新しい電動送風機をモータ固定用ネジ３Ｂで下ケース８の内底面に取り付ける。次いで、上ケース９を、係止爪９Ｃ及び上ケース用取り付けネジ３２を利用して、再度、下ケース８に取り付ける。最後に、制御基板７の接続されている第１電気コード４３を太陽電池装置６に接続すればよい。なお、図１９に示すように、太陽電池装置６を本体ケース２から離した状態で消臭装置１を設置している場合には、第１電気コード４３に第１電気コード４４を接続したままで、上ケース９を下ケース８から取り除き、電動送風機３を交換するようにすればよい。
【００５９】
破損した電池収納ケース２０を交換したい場合には、まず、上ケース用取り付けネジ３２を上ケース９から取り除いた後、下ケース８から上ケース９を取り外す。次いで、破損した電池収納ケース２０から一次電池５を取り除く。次いで、下ケース８の内底面からケース取り付けネジ２１を取り除くことにより、その破損した電池収納ケース２０を下ケース８の内底面から取り外す。次いで、新しい電池収納ケースをケース取り付けネジ２１により、下ケース８の内底面に取り付ける。次いで、新しい電池収納ケースに、一次電池５を設置する。最後に、上ケース９を、係止爪９Ｃ及び上ケース用取り付けネジ３２を利用して、再度、下ケース８に取り付ければよい。
【００６０】
制御基板７を交換したい場合には、まず、上ケース用取り付けネジ３２を上ケース９から取り除いた後、下ケース８から上ケース９を、かつ、制御基板７から第１電気コード４３を、それぞれ取り外す。次いで、４個の基板用ネジ３０を取り除くことにより、交換したい制御基板７を下ケース８の内底面から取り外す。次いで、新しい制御基板を４個の基板用ネジ３０により、下ケース８の内底面に取り付けると共に、太陽電池装置６に接続されている第１電気コード４３を新しい制御基板に取り付ける。最後に、上ケース９を、係止爪９Ｃ及び上ケース用取り付けネジ３２を利用して、再度、下ケース８に取り付ければよい。
【００６１】
故障した太陽電池装置６のみを交換したしたい場合には、俯仰軸用ネジ２８を取り除いて、上ケース９に取り付けられた第２取り付け部材２５と太陽電池装置６に取り付けられた第１取り付け部材２４とを分離すると共に、太陽電池装置６から第１電気コード４３を引き抜くことにより、本体ケース２から故障した太陽電池装置６を取り除く。次いで、新しい太陽電池装置の第１取り付け部材２４の取り付け片部２４Ｂを、上ケース９に取り付けられた第２取り付け部材２５の二股状取り付け片２５Ａに、俯仰軸用ネジ２８により、取り付けると共に、本体ケース２の第１電気コード４３を新しい太陽電池装置に接続することで、故障した太陽電池装置６を新しい太陽電池装置に、交換することができる。
【００６２】
また、故障した太陽電池装置６と一緒に第１取り付け部材２４及び第２取り付け部材２５も交換した場合には、上ケース用取り付けネジ３２を上ケース９から取り除いた後、下ケース８から上ケース９を取り外す。次いで、上ケース９を裏返して、その上ケース９の嵌合凹部９Ｂから回転軸用ネジ２６及びワッシャ２７を取り除くことにより、上ケース９から太陽電池装置６を分離させると共に、太陽電池装置６から第１電気コード４３を引き抜く。次いで、上ケース９の上面側を表にして、新しい太陽電池装置の第２取り付け部材２５を上ケース９の嵌合凹部９Ｂに嵌合させた後、再び、上ケース９を裏返して、新しい太陽電池装置の第２取り付け部材２５を回転軸用ネジ２６及びワッシャ２７により、上ケース９の嵌合凹部９Ｂに取り付けると共に、新しい太陽電池装置に第１電気コード４３を接続する。最後に、上ケース９を、係止爪９Ｃ及び上ケース用取り付けネジ３２を利用して、再度、下ケース８に取り付ければよい。
【００６３】
上記実施形態によれば、本体ケース２の上ケース９に取り付けた太陽電池装置６を、図１に示す矢印Ｒのごとく、俯仰させて太陽電池装置６のモジュールパネル２２の俯仰角度を適宜調整したり、図１に示す矢印Ｑのごとく、適宜回転させたりすることにより、窓Ｗや室内照明灯がいずれの方向にあっても、また、壁面設置、天井設置または卓上設置のいずれの場合であっても、太陽電池装置６のモジュールパネル２２の向きを最適な位置に、簡単に設定できる。しかも、本体ケース２を薄箱形とし、かつ、太陽電池装置６の外郭全体形状を略平板状としたので、コンパクトで、かつシンプルな外観形状の消臭装置１とすることができる。したがって、消臭装置１を、見栄えよく、天井Ｔや壁Ｋ１、Ｋ２に設置することができる。
【００６４】
また、上記実施形態によれば、昼間は太陽光を利用して太陽電池装置６による給電を行い、かつ、夜間は室内照明灯の照明光を利用して太陽電池装置６による給電を行うようにし、図１に示す矢印Ｑのごとく、太陽電池装置６を略１８０度回転させることで、昼間は太陽光が最も効率よく照射させるように、かつ、夜間は室内照明灯の照明光最も効率よく照射させるように、太陽電池装置６のモジュールパネル２２の向きを簡単に設定でき、使い勝手が優れている。
【００６５】
また、上記実施形態によれば、太陽電池装置６のモジュールパネル２２を本体ケース２の上ケース９の上面に近接対向させた状態にすることができるため、消臭装置１の梱包作業時や消臭装置１の運搬時に、太陽電池装置６のモジュールパネル２２に周囲の物体が触れたりすることがないので、その太陽電池装置６のモジュールパネル２２を傷付けたりあるいは破損させたりすることがない。
【００６６】
また、本体ケース２を薄箱形とし、かつ、太陽電池装置６の外郭全体形状を略平板状とし、しかも、太陽電池装置６を本体ケース２の上ケース９の上面に近接対向させた状態にすることができるため、消臭装置１の全体形状をコンパクトにすることができ、梱包費の低減化を図ることができ、かつ、消臭装置１の運搬性を向上させることができる。
【００６７】
また、上記実施形態によれば、壁面設置、天井設置または卓上設置のいずれの場合であっても、本体ケース２の下ケース８の側面から消臭剤収納体４を、下ケース８に簡単に出し入れすることができ、消臭剤入り袋１６の交換作業を円滑に行わせることができる。しかも、上記実施形態によれば、太陽電池装置６の取り付け状態に左右させることなく、かつ、消臭装置１を設置する場所の状況に対応して、消臭剤収納体４を下ケース８の側面から、最も出し入れし易いように、本体ケース２を取り付けることができる。
【００６８】
また、上記実施形態によれば、消臭剤入り袋１６を通る空気流量を、消臭剤収納体４の外気吐き出し口４Ｄの開口面積を調整板４５で調整することにより、消臭剤入り袋１６から放出される消臭成分が過多になったりあるいは過少になったりすることを防止できる。しかも、電動送風機３が回転すると、上ハウジング１５に設けたバイパス開口１５Ａから空気流通路ハウジング１３内に、その空気流通路ハウジング１３外方の空気が流入して、消臭剤入り袋１６を通る空気流量が抑制されるので、消臭剤入り袋１６から放出される消臭成分が過多にならないようにすることができるため、消臭剤入り袋１６の寿命を長くすることができる。
【００６９】
また、上記実施形態によれば、本体ケース２に太陽電池装置６を取り付けた状態における消臭装置１を、図１８の２点鎖線Ｐ１、Ｐ２、Ｐ３に示すように、かつ、本体ケース２から太陽電池装置６を取り外した状態における消臭装置１を、図１９の２点鎖線Ｐ４、Ｐ５に示すように、建物の各種の部屋の間取りや窓Ｗ及び室内照明灯の位置に対応させて、適宜に設置することができる。
【００７０】
また、上記実施形態によれば、天井設置あるいは壁面設置で使用している消臭装置１の、電動送風機３、電池収納ケース２０、制御基板７または太陽電池装置６を交換する場合、下ケース８を天井Ｔあるいは壁Ｋ１、Ｋ２から取り外すことなく、それらの交換作業を、円滑に行うことができる。
【００７１】
また、上記実施形態によれば、消臭剤収納体４の収納空間を構成する下ケース８の凹部８Ａの上方に制御基板７を配置し、かつ、その凹部８Ａと上ケース９に形成してなる太陽電池装置６を取り付けるための嵌合凹部９Ｂとが、本体ケース２の厚さ方向に重なることがないように配置すると共に、モータ１１とファン１２が、本体ケース２の厚さ方向に重なることがないように配置し、かつ、そのモータ１１及びファン１２と下ケース８の凹部８Ａとが本体ケース２の厚さ方向に重なることがないように配置することにより、本体ケース２を大幅に薄型化することができる。しかも、消臭剤収納体４を収納する収納空間となる下ケース８の凹部８Ａとファン１２とを、空気流通路ハウジング１３で連通させることにより、消臭剤収納体４を通した空気流を、上ケース９の空気吹き出し口９Ａに、円滑に導くことができる。
【００７２】
また、上記実施形態によれば、電動送風機３を終日間欠運転させる終日運転機能と、電動送風機３を昼間のみ間欠運転させて夜間は電動送風機３を停止させる夜間停止機能とを、切り替えスイッチ部３３を切り替えることにより、選択することができるので、消臭装置１を購入した購入者の希望に応じて、消臭装置１を夜間に使用しないようにして一次電池５の寿命を長くするようにすることができる。
【００７３】
また、上記実施形態によれば、天候が悪いために、昼間、十分な太陽光が得られずに、蓄電部３５及び太陽電池装置６から給電される電気量が、電動送風機３のモータ１１を規定時間（約８０秒）回転させるのに不足している場合には、その不足している電気量を一次電池５により補給されるので、電動送風機３のモータ１１の間欠運転を正常に継続させることができる。
【００７４】
上記実施形態の消臭装置１では、太陽電池装置６を本体ケース２から離して、その太陽電池装置６のみを窓際の壁Ｋ２に固定する場合、消臭装置１の制御基板７に接続したままの第１電気コード４３に第２電気コード４４を接続し、その第２電気コード４４を窓際の壁Ｋ２に固定する太陽電池装置６のモジュールパネル２２に接続するようにしているが、これに限定されない。一端が制御基板７に接続され、かつ、他端側が太陽電池装置６のモジュールパネル２２に接続された第１電気コード４３を取り除き、第２電気コード４４の一端側を制御基板７に接続し、かつ、第２電気コード４４の他端側を太陽電池装置６のモジュールパネル２２に接続するようにすることもできる。
【００７５】
上記実施形態の消臭装置１では、一次電池５を内蔵した本体ケース２の外周壁に、俯仰角度調整可能に、かつ、左右回転角度調整可能に、太陽電池装置６を取り付けるようしているが、これに限定されない。一次電池５を内蔵しない本体ケースの外周壁に、俯仰角度調整可能に、かつ、左右回転角度調整可能に、太陽電池装置６を取り付けるようにしてもよい。
【００７６】
上記実施形態の消臭剤収納体４では、除塵フイルター収納空間部４Ｅに、細塵フイルター(図示せず)を設けていないが、細塵フイルターを設けるようにしてもよい。また、上記実施形態では、モータ１１が寿命に達した場合に、モータ１１及びファン１２からなる電動送風機３全体を交換するようにしているが、これに限定されない。モータ１１のみを新しいものに交換するようにすることも可能である。
【００７７】
上記実施形態の消臭装置１では、一次電池５は、マンガン電池としているがこれに限定されず、アルカリ乾電池でもよい。また、一次電池５に替えて、二次電池を用いるようにすることも可能である。
【００７８】
上記実施形態の消臭剤収納体４では、消臭剤収納体４の外気吐き出し口４Ｄの開口面積を調整板４５で調整するようにしているが、下ケース８の細長流入口８Ｄの開口面積を調整することにより、消臭剤入り袋１６を通る空気流量を調整するようにすることも可能である。
【００７９】
上記実施形態の消臭剤収納体４においては、太陽電池装置６を本体ケース２から離した状態で、消臭装置１を使用する場合には、太陽電池装置６に設けられた第１取り付け部材２４に取り付けた第２取り付け部材２５を、第１壁装着部材４０の支持円筒体４０Ａに挿嵌して、その支持円筒体４０Ａに回転軸用ネジ２６及びワッシャ２７により、取り付けた後、その第１壁装着部材４０を壁Ｋ１、Ｋ２に固定するようにしているが、これに限定されない。図２０及び図２１に示す他実施形態のように、太陽電池装置６に設けられた第１取り付け部材２４を、第２壁装着部材４７に取り付けた後、その第２壁装着部材４７を壁Ｋ１、Ｋ２に取り付けるようにしてもよい。第２壁装着部材４７には、図２１に示すように、太陽電池装置６に設けられた第１取り付け部材２４を取り付けるための第１取り付け部材用支持体４８が一体的に形成されている。第２壁装着部材４７は、第２壁装着部材用取り付けネジ４９により、壁Ｋ１、Ｋ２により、着脱可能に取り付けるようにしてある。第２壁装着部材４７を壁Ｋ１、Ｋ２に取り付ける場合、第２壁装着部材４７の取り付け位置は、太陽電池装置６のモジュールパネル２２の向きを考慮して、設定する。
【００８０】
第２壁装着部材４７を用いて太陽電池装置６を壁Ｋ１、Ｋ２に取り付けるには、本体ケース２の上ケース９に取り付けられている第２取り付け部材２５と太陽電池装置６に設けられた第１取り付け部材２４とを、俯仰軸用ネジ２８を取り除くことにより、分離する。その後、第２壁装着部材４７に形成した第１取り付け部材用支持体４８の先端に、太陽電池装置６に設けられた第１取り付け部材２４を、俯仰軸用ネジ２８により、第１取り付け部材用支持体４８に対して、俯仰角度を左右に、最大９０度を越える範囲内で任意に調整できるように、取り付ける。次いで、太陽電池装置６が俯仰する方向に窓Ｗや室内照明灯が位置するように、第２壁装着部材４７を第２壁装着部材用取り付けネジ４９により壁Ｋ１、Ｋ２に取り付ける。最後に、第２壁装着部材４７の上面開口に、その上面開口を覆う第２装飾カバー５０を着脱可能に取り付ければよい。
【００８１】
上記他実施形態では、第２壁装着部材４７を用いて太陽電池装置６を壁Ｋ１、Ｋ２に取り付ける場合、太陽電池装置６を取り付けた第２壁装着部材４７を、壁Ｋ１、Ｋ２に取り付けるようにしているが、これに限定されない。壁Ｋ１、Ｋ２に第２壁装着部材４７を取り付けた後、その第２壁装着部材４７の第１取り付け部材用支持体４８の先端に、太陽電池装置６に設けられた第１取り付け部材２４を取り付けるようにしてもよい。
【００８２】
図２０及び図２１に示す他実施形態の第２壁装着部材４７を用いて太陽電池装置６を、壁Ｋ１、Ｋ２に取り付ける場合には、第２取り付け部材２５を上ケース９の嵌合凹部９Ｂに、回転軸用ネジ２６で３６０度回転可能に取り付けたままの状態とするようにしてもよいし、上ケース９の嵌合凹部９Ｂから第２取り付け部材２５及び回転軸用ネジ２６を取り外して、その第２取り付け部材２５及び回転軸用ネジ２６を保管するようにしてもよい。また、上ケース９の嵌合凹部９Ｂから第２取り付け部材２５及び回転軸用ネジ２６を取り外した場合には、上ケース９の嵌合凹部９Ｂの入口部に、その入口部を塞ぐための弾性材からなる栓（図示せず）を、着脱自在に設けるようにしてもよい。
【００８３】
さらに、太陽電池装置６を本体ケース２から離して、壁Ｋ１、Ｋ２に取り付ける場合、第１壁装着部材４０及び第１壁装着部材用取り付けネジ４１や第２壁装着部材４７及び第２壁装着部材用取り付けネジ４９を用いることなく、太陽電池装置６の裏面枠体６Ｂを壁Ｋ１、Ｋ２に、接着テープを用いて、接着固定することも可能である。
【図面の簡単な説明】
【００８４】
【図１】本発明の一実施形態を示し、本体ケースに取り付けた太陽電池装置の動きを説明するための消臭装置の左側面図である。
【図２】本発明の一実施形態を示し、消臭剤収納体の一部を本体ケースから取り出した状態における消臭装置の要部を破断してなる拡大斜視図である。
【図３】本発明の一実施形態を示し、太陽電池装置のモジュールパネルを本体ケースに近接させた状態における消臭装置の平面図である。
【図４】本発明の一実施形態を示し、太陽電池装置のモジュールパネルを本体ケースに近接させた状態における消臭装置の下面図である。
【図５】本発明の一実施形態を示し、太陽電池装置のモジュールパネルを本体ケースに近接させた状態における消臭装置の左側面図である。
【図６】本発明の一実施形態を示し、太陽電池装置のモジュールパネルを本体ケースに近接させた状態における消臭装置の右側面図である。
【図７】本発明の一実施形態を示し、太陽電池装置のモジュールパネルを本体ケースに近接させた状態における消臭装置の底面図である。
【図８】本発明の一実施形態を示し、上ケースを取り除いた状態における消臭装置の平面図である。
【図９】本発明の一実施形態を示し、太陽電池装置を取り除いた状態における図３のＡ−Ａ部分の縦断面図である。
【図１０】本発明の一実施形態を示し、図４のＢ−Ｂ部分の縦断面拡大図である。
【図１１】本発明の一実施形態を示し、図４のＣ−Ｃ部分の縦断面拡大図である。
【図１２】本発明の一実施形態を示し、卓上に設置した消臭装置の本体ケースから消臭剤収納体を取り出した状態の要部拡大縦断面図である。
【図１３】本発明の一実施形態を示し、蓋体を開いてなる消臭剤収納体の拡大斜視図である。
【図１４】本発明の一実施形態を示し、太陽電池装置を壁に取り付ける第１壁装着部材の要部拡大縦断面図である。
【図１５】本発明の一実施形態を示し、本体ケースから切り離して太陽電池装置を壁に取り付けた状態の要部拡大縦断面図である。
【図１６】本発明の一実施形態を示し、消臭装置の要部制御回路図である。
【図１７】本発明の一実施形態を示し、本発明の消臭装置を天井に設置した状態の要部側面図である。
【図１８】本発明の本体ケースに太陽電池装置を取り付けた状態における消臭装置の設置例を説明する斜視図である。
【図１９】本発明の本体ケースから太陽電池装置を取り外した状態における消臭装置の設置例を説明する斜視図である。
【図２０】本発明の他実施形態を示し、太陽電池装置を壁に取り付ける第２壁装着部材の要部拡大縦断面図である。
【図２１】本発明の他実施形態を示し、図４のＤ−Ｄ部分の縦断面拡大図である。
【符号の説明】
【００８５】
１    消臭装置
２    本体ケース
３    電動送風機
３Ａ  取り付け脚
３Ｂ  モータ固定用ネジ
４    消臭剤収納体
４Ａ  収納枠
４Ｂ  蓋体
４Ｃ  外気取り入れ口
４Ｄ  外気吐き出し口
４Ｅ  除塵フイルター収納空間部
４Ｆ  握り部
４Ｇ  係止凹部
４Ｈ  第１仕切り壁
４Ｊ  第２仕切り壁
４Ｋ  連通口
４Ｌ  連通空間部
４Ｍ  弾性係止部
４Ｎ  蓋係止凹部
５    一次電池（乾電池）
６    太陽電池装置
６Ａ  表面枠体
６Ｂ  裏面枠体
７    制御基板
８    下ケース
８Ａ  凹部
８Ｂ  空気吸気口
８Ｃ  出し入れ口
８Ｄ  細長流入口
８Ｅ  係止穴
８Ｆ  設置脚
８Ｇ  係止部
８Ｈ  係合突起
９    上ケース
９Ａ  空気吹き出し口
９Ｂ  嵌合凹部
９Ｃ  係止爪
１０、１０Ａ、１０Ｂ、１０Ｃ  取り付け穴
１１  モータ
１１Ａ  回転軸
１２  ファン
１２Ａ  案内プレート
１３  空気流通路ハウジング
１３Ａ  入口
１３Ｂ  出口
１４  下ハウジング
１４Ａ  モータ収納凹部
１４Ｂ  ファン収納凹部
１５  上ハウジング
１５Ａ  バイパス開口
１５Ｂ  係合穴
１６  消臭剤入り袋
１７  覆い板
１７Ａ  突出片
１７Ｂ  補強用凹部
１７Ｃ  立ち上がり片
１８  覆い板取り付けネジ
１９  弾性保持片
１９Ａ  先端湾曲部
２０  電池収納ケース
２１  ケース取り付けネジ
２２  モジュールパネル
２３  パネルネジ
２４  第１取り付け部材
２４Ａ  固定片部
２４Ｂ  取り付け片部
２５  第２取り付け部材
２５Ａ  二股状取り付け片
２６  回転軸用ネジ
２７  ワッシャ
２８  俯仰軸用ネジ
２９  制御回路
３０  基板用ネジ
３１  本体ケース用取り付けネジ
３２  上ケース用取り付けネジ
３３  切り替えスイッチ部
３４  第１リセット回路部
３５  蓄電部
３６  タイマー部
３７  第２リセット回路部
３８  ＯＲ回路部
３９  モータ定電圧制御回路部
４０  第１壁装着部材
４０Ａ  第１支持円筒体
４１  第１壁装着部材用取り付けネジ
４２  第１装飾カバー
４３  第１電気コード
４４  第２電気コード
４５  調整板
４６  小ネジ
４７  第２壁装着部材
４８  第１取り付け部材用支持体
４９  第２壁装着部材用取り付けネジ
５０  第２装飾カバー
【図１】
2005230060.tif 000003
【図２】
2005230060.tif 000004
【図３】
2005230060.tif 000005
【図４】
2005230060.tif 000006
【図５】
2005230060.tif 000007
【図６】
2005230060.tif 000008
【図７】
2005230060.tif 000009
【図８】
2005230060.tif 000010
【図９】
2005230060.tif 000011
【図１０】
2005230060.tif 000012
【図１１】
2005230060.tif 000013
【図１２】
2005230060.tif 000014
【図１３】
2005230060.tif 000015
【図１４】
2005230060.tif 000016
【図１５】
2005230060.tif 000017
【図１６】
2005230060.tif 000018
【図１７】
2005230060.tif 000019
【図１８】
2005230060.tif 000020
【図１９】
2005230060.tif 000021
【図２０】
2005230060.tif 000022
【図２１】
2005230060.tif 000023